(57)【要約】【課題】地図上の自車位置マークを容易に見つけることができるようにする。【解決手段】自車の位置を示す自車位置マーク４２を、地図４０上の前記自車の位置に対応する位置に表示して経路案内を行うカーナビゲーション装置１において、前記経路案内中に、前記自車位置マーク４２の進行方向前方に、該進行方向を示す進行方向マーク５４を動的に表示するマーク表示制御部３２を備える構成とした。【選択図】図１
2010019788.tif 000002
【特許請求の範囲】
【請求項１】
自装置の位置を示す自装置位置マークを、地図上の前記自装置の位置に対応する位置に表示して経路案内を行うナビゲーション装置において、
前記経路案内中に、前記自装置位置マークの進行方向前方に、該進行方向を示す進行方向マークを動的に表示するマーク表示制御手段を備えたことを特徴とするナビゲーション装置。
【請求項２】
前記マーク表示制御手段は、前記経路案内中に、前記自装置位置マークの後方に、前記自装置の経路の軌跡を示す経路軌跡マークを動的に表示する経路軌跡表示と、前記進行方向マークの動的表示による進行方向表示とを循環的に行うことを特徴とする請求項１に記載のナビゲーション装置。
【請求項３】
前記マーク表示制御手段は、前記経路案内中に、前記経路軌跡表示と、前記自装置位置マークを大きくみせて強調する自装置位置強調表示と、前記進行方向表示とを循環的に行うことを特徴とする請求項２に記載のナビゲーション装置。
【請求項４】
前記マーク表示制御手段は、
前記経路軌跡マークを、前記経路の軌跡に沿って前記自装置位置マークの後方から前記自装置位置マークに向かって順次移動させて前記経路軌跡表示を行った後、
前記進行方向マークを、前記自装置位置マークの進行方向前方から前記進行方向に向かって順次移動させて前記進行方向表示を行う
ことを特徴とする請求項２又は３に記載のナビゲーション装置。
【請求項５】
前記マーク表示制御手段は、前記自装置位置マークの周囲を囲む強調用マークを表示して前記自装置位置強調表示を行うことを特徴とする請求項３又は４に記載のナビゲーション装置。
【請求項６】
自装置の位置を示す自装置位置マークを、地図上の前記自装置の位置に対応する位置に表示して経路案内を行うナビゲーション装置の自装置位置表示方法において、
前記経路案内中に、前記自装置位置マークの進行方向前方に、該進行方向を示す進行方向マークを動的に表示することを特徴とする自装置位置表示方法。
【請求項７】
自装置の位置を示す自装置位置マークを、地図上の前記自装置の位置に対応する位置に表示して経路案内を行うナビゲーション装置を制御する制御プログラムにおいて、
前記ナビゲーション装置を、
前記経路案内中に、前記自装置位置マークの進行方向前方に、該進行方向を示す進行方向マークを動的に表示するマーク表示制御手段として機能させることを特徴とする制御プログラム。
【発明の詳細な説明】
【技術分野】
【０００１】
本発明は、地図を表示して経路案内を行うナビゲーション技術に関する。
【背景技術】
【０００２】
従来、自車位置を示す自車位置マークを地図上に表示して目的地までの経路案内を行うカーナビゲーション装置が知られている（例えば、特許文献１参照）。また、通常、カーナビゲーション装置においては、自車位置の周辺にある建物や施設、交差点等を識別可能にするアイコンや文字を地図上に表示している。
【特許文献１】特開２０００−３２１０８８号公報
【発明の開示】
【発明が解決しようとする課題】
【０００３】
しかしながら、地図上にアイコンや文字が多数表示されていると、地図上での自車位置マークの識別性が低下する、という問題がある。このため、地図上を一瞥しただけでは自車位置マークを見つけ難くなり、車両がどこをどの方向に進行しているのかを把握するまでに時間を要することがある、という問題があった。
この問題は、カーナビゲーション装置に限らず、地図上に自装置の位置を自装置マークとして表示して経路案内を行う例えばＰＮＤ（パーソナルナビゲーションデバイス：Personal Navigation Device）等の各種のナビゲーション装置でも同様に生じる問題である。
【０００４】
本発明は、上述した事情に鑑みてなされたものであり、地図上の自装置位置マークを容易に見つけることができるナビゲーション装置、自装置位置表示方法、及び制御プログラムを提供することを目的とする。
【課題を解決するための手段】
【０００５】
上記目的を達成するために、本発明は、自装置の位置を示す自装置位置マークを、地図上の前記自装置の位置に対応する位置に表示して経路案内を行うナビゲーション装置において、前記経路案内中に、前記自装置位置マークの進行方向前方に、該進行方向を示す進行方向マークを動的に表示するマーク表示制御手段を備えたことを特徴とする。
【０００６】
また本発明は、上記本発明に係るナビゲーション装置において、前記マーク表示制御手段は、前記経路案内中に、前記自装置位置マークの後方に、前記自装置の経路の軌跡を示す経路軌跡マークを動的に表示する経路軌跡表示と、前記進行方向マークの動的表示による進行方向表示とを循環的に行うことを特徴とする。
【０００７】
また本発明は、上記本発明に係るナビゲーション装置において、前記マーク表示制御手段は、前記経路案内中に、前記経路軌跡表示と、前記自装置位置マークを大きくみせて強調する自装置位置強調表示と、前記進行方向表示とを循環的に行うことを特徴とする。
【０００８】
また本発明は、上記本発明に係るナビゲーション装置において、前記マーク表示制御手段は、前記経路軌跡マークを、前記経路の軌跡に沿って前記自装置位置マークの後方から前記自装置位置マークに向かって順次移動させて前記経路軌跡表示を行った後、前記進行方向マークを、前記自装置位置マークの進行方向前方から前記進行方向に向かって順次移動させて前記進行方向表示を行うことを特徴とする。
【０００９】
また本発明は、上記本発明に係るナビゲーション装置において、前記マーク表示制御手段は、前記自装置位置マークの周囲を囲む強調用マークを表示して前記自装置位置強調表示を行うことを特徴とする。
【００１０】
上記目的を達成するために、本発明は、自装置の位置を示す自装置位置マークを、地図上の前記自装置の位置に対応する位置に表示して経路案内を行うナビゲーション装置の自装置位置表示方法において、前記経路案内中に、前記自装置位置マークの進行方向前方に、該進行方向を示す進行方向マークを動的に表示することを特徴とする。
【００１１】
また上記目的を達成するために、本発明は、自装置の位置を示す自装置位置マークを、地図上の前記自装置の位置に対応する位置に表示して経路案内を行うナビゲーション装置を制御する制御プログラムにおいて、前記ナビゲーション装置を、前記経路案内中に、前記自装置位置マークの進行方向前方に、該進行方向を示す進行方向マークを動的に表示するマーク表示制御手段として機能させることを特徴とする。
【発明の効果】
【００１２】
本発明によれば、経路案内中には、自装置位置マークの進行方向前方に、該進行方向を示す進行方向マークが動的に表示されるから、進行方向の把握が容易となる。
これに加え、この進行方向マークが自装置位置マークの進行方向前方において動的に表示されるから地図上における進行方向マークの識別性が高まり、この進行方向マークの後方に位置する自装置位置マークも容易に見つけることができる。
【発明を実施するための最良の形態】
【００１３】
以下、図面を参照して本発明の実施形態について説明する。
なお、以下の説明では、ナビゲーション装置の一態様として、車両に搭載される車載用のナビゲーション装置を例示するが、本発明は、これに限定されるものでは無く、例えばＰＮＤ等の各種のナビゲーション装置に適用することができる。
【００１４】
図１は、本実施形態に係るカーナビゲーション装置１の機能的構成を示すブロック図である。
カーナビゲーション装置１は、各部を中枢的に制御する制御手段としての制御部１０と、車両の自車位置を検出する位置検出部１２と、表示手段としての表示部１４と、操作手段としての操作部１６と、記憶手段としての記憶部１８とを備えている。
【００１５】
位置検出部１２は、車両の現在位置を検出する手段としてＧＰＳユニット２０を備えている。ＧＰＳユニット２０は、ＧＰＳ衛星が発するＧＰＳ電波をＧＰＳアンテナ２２により受信し、ＧＰＳ電波に重畳されたＧＰＳ信号に基づいて、車両の現在位置の経度及び緯度を示す現在位置地の情報を演算により取得し自車位置として制御部１０に出力する。
なお、ＧＰＳユニット２０に加えて、例えばジャイロセンサや車速パルスセンサ、加速度センサをカーナビゲーション装置１に設けて自立航法可能に構成しても良い。
【００１６】
表示部１４は、例えば液晶ディスプレイや有機ＥＬディスプレイ等のフラットディスプレイ型の表示パネル２４を備え、制御部１０の制御の下、メニュー画面や経路案内画面等の各種情報を表示する。
操作部１６は、電源ボタンや音量調整ボタン、カーソルボタンといった操作子としての複数の操作ボタン２６を備えている。
【００１７】
記憶部１８は、例えば半導体メモリやハードディスクドライブにより構成され、カーナビゲーション装置１の各種機能を実現するための制御プログラム２８や、経路案内に供する地図データや自車位置マーク、各種アイコン等の経路案内用データ３０を記憶する。
制御部１０は、ＣＰＵやＲＯＭ、ＲＡＭを備えて構成され、従来のカーナビゲーション装置が備える一般的な機能の他に、本実施形態では、マーク表示制御部３２を備えている。
マーク表示制御部３２は、表示パネル２４に地図を表示して経路を案内する経路案内中に、当該地図上での自車位置を視認し易くすべく各種マークを表示するものである。
【００１８】
図２は、本実施形態の経路案内画面３８の一態様を示す模式図である。
経路案内画面３８には、車両位置の周辺を示す地図４０と共に、自車位置を示す自車位置マーク４２が表示される。
地図４０には、道路や交通機関、周辺の地名や建物名、施設名、それらを示すアイコン等が含まれている。経路案内中には、地図４０が表示パネル２４の表示可能領域の全体にわたって表示されており、また、地図４０の視認性を阻害しないように、地図４０をスクロール操作（表示箇所の移動操作）するための操作アイコン等は表示されないようになっている。
自車位置マーク４２は、地図４０での自車位置に対応する位置に表示され、本実施形態では、有色、或いは半透明に塗られた略円形のマークが用いられている。経路案内画面３８においては、地図４０の表示倍率に依らず、この自車位置マーク４２が常に略一定の大きさ（径）で表示される。なお、経路案内中においては、自車位置マーク４２を点滅表示するなどして識別性を高めても良い。
【００１９】
この経路案内画面３８においては、自車位置マーク４２の周囲に、自車位置マーク４２を大きく見せて強調表示するための強調用マーク５０が上記マーク表示制御部３２の制御により表示されて自車位置強調表示が行われる。この強調用マーク５０には、自車位置マーク４２と一体感を出すために同色の破線の矢印マークが用いられており、矢の指し示す方向が進行方向を示している。
また、経路案内中には、マーク表示制御部３２は、上記強調用マーク５０の表示による自車位置強調表示の他に、経路軌跡マーク５２の動的表示による経路軌跡表示と、進行方向マーク５４の動的表示による進行方向表示とを行っている。
【００２０】
詳述すると、図３に示すように、経路案内中には、マーク表示制御部３２により、図３（ａ）に示す経路軌跡表示、図３（ｂ）〜図３（ｅ）に示す自車位置強調表示、及び図３（ｆ）に示す進行方向表示とが、この順で循環的に行われる。
経路軌跡表示の経路軌跡マーク５２、自車位置強調表示の強調用マーク５０、及び進行方向表示の進行方向マーク５４には、それぞれ同じ矢印マークが用いられており、これにより、それぞれの一連の表示が繋がってみえるようになっている。
【００２１】
経路軌跡表示においては、図３（ａ）に示すように、車両が走行した経路軌跡上に経路軌跡マーク５２が表示される。この経路軌跡マーク５２は、経路軌跡に沿って自車位置マーク４２の進行方向後方から自車位置マーク４２に向かって接近して行くように動的に表示され、これにより経路軌跡が示される。
経路軌跡マーク５２の先端部５２Ａが自車位置マーク４２の後方に所定距離まで接近したときに経路軌跡表示から自車位置強調表示に表示が移行する。
【００２２】
自車位置強調表示においては、図３（ｂ）〜図３（ｅ）に示すように、自車位置マーク４２を所定倍率だけ拡大したときの輪郭線（外形線）に略相当する外形軌道５５の上を車両の進行方向に向かって上記強調用マーク５０が移動して見える表示が行われ、これにより、自車位置マーク４２が強調して表示される。
経路軌跡表示から自車位置強調表示に移行した最初の表示においては、強調用マーク５０が、その先端部５０Ａを自車位置マーク４２を挟み込むように２つに分岐させながら外形軌道５５に進入する（図３（ｂ））。次いで、強調用マーク５０が完全に２つに分かれて自車位置マーク４２を左右から挟み込んだ後（図３（ｃ））、自車位置マーク４２の進行方向前側で合流する（図３（ｄ）、図３（ｅ））。
【００２３】
このように、自車位置強調表示においては、強調用マーク５０が自車位置マーク４２を拡大したときの外形線に相当する外形軌道５５の上に表示されることで、自車位置マーク４２が大きくみえて識別性が向上する。さらに、この強調用マーク５０が外形軌道５５の上を、自車位置マーク４２の進行方向後方から前方に向かって移動するように動的に表示されるから、この自車位置マーク４２の進行方向が把握できる。
【００２４】
自車位置強調表示において、強調用マーク５０が自車位置マーク４２の前方に到達すると、自車位置強調表示から進行方向表示に表示が移行する。
この進行方向表示においては、図３（ｆ）に示すように、進行方向マーク５４が自車位置マーク４２の進行方向前方から進行方向に向かって進行経路に沿って道形に延びて表示され、これにより、進行方向、及び進行経路が示される。
【００２５】
この進行方向マーク５４は、自車位置マーク４２の進行方向前方から出現し、進行経路上を進行方向に向かって進行して行くように動的に表示される。そして、進行方向マーク５４の先端部５４Ａが自車位置マーク４２から所定距離だけ離間したときに進行方向表示から経路軌跡表示に表示が移行し、このようにして、経路案内中には、経路軌跡表示、自車位置強調表示、及び進行方向表示が循環的に行われることとなる。
【００２６】
このように、本実施形態によれば、マーク表示制御部３２が経路案内中に自車位置マーク４２の進行方向前方に該進行方向を示す進行方向マーク５４を動的に表示するから、車両の進行方向の把握が容易となる。
これに加え、この進行方向マーク５４が自車位置マーク４２の進行方向前方において動的に表示されるから地図４０上における進行方向マーク５４の識別性が高まり、この進行方向マーク５４の後方に位置する自車位置マーク４２も容易に見つけることができる。
【００２７】
また本実施形態によれば、マーク表示制御部３２が経路案内中に、自車位置マーク４２の後方に、自車両の経路の軌跡を示す経路軌跡マーク５２を動的に表示する経路軌跡表示と、上記の進行方向表示とを循環的に行う構成とした。
この構成により、車両の経路軌跡が把握可能になると共に、経路軌跡表示と進行方向表示との循環的な表示により、自車位置マーク４２の前後に経路軌跡マーク５２或いは進行方向マーク５４が動的に表示されるため、自車位置マーク４２が見つけ易くなる。
【００２８】
このときマーク表示制御部３２は、経路軌跡マーク５２を、経路の軌跡に沿って自車位置マーク４２の後方から自車位置マーク４２に向かって順次移動させて経路軌跡表示を行った後、進行方向マーク５４を、前記自車位置マーク４２の進行方向前方から進行方向に向かって順次移動させて進行方向表示を行うことで、経路軌跡マーク５２及び進行方向マーク５４のそれぞれを動的に表示する構成としている。
この構成により、経路軌跡マーク５２及び進行方向マーク５４の移動によって、車両の経路軌跡、及び進行経路が示されるため、これら経路軌跡、及び進行経路の把握が容易になる。
【００２９】
また本実施形態によれば、マーク表示制御部３２が経路案内中に、自車位置マーク４２の周囲を囲むように強調用マーク５０を表示することにより、当該自車位置マーク４２を大きくみせて強調する自車位置強調表示を、進行方向表示及び経路軌跡表示と共に循環的に行う構成としたため、自車位置マーク４２の識別性が向上し、容易に見つけることができる。
なお、自車位置強調表示においては、その間だけ自車位置マーク４２を拡大表示して強調表示しても良い。
【００３０】
なお、上述した実施形態は、あくまでも本発明の一態様を示すものであり、本発明の範囲内で任意に変形および応用が可能であることは勿論である。
例えば、自車位置マーク４２として円形のマークを例示したが、これに限らず、図４（Ａ）、図４（Ｂ）に示すように、三角形などの形状としても良い。
【００３１】
また、自車位置マーク４２の強調表示においては、自車位置マーク４２を拡大したときの外形線を、強調用マーク５０が移動する外形軌道５５として用いたが、これに限らず、図４（Ｂ）に示すように、自車位置マーク４２の周囲を強調用マーク５０が囲む態様であれば任意の態様を採用することができる。このとき、強調用マーク５０を略円環状として、自車位置マーク４２の周囲を全周にわたり囲むようにしても良い。
【００３２】
なお、自車位置マーク４２が、図４（Ｃ）に示すように、マーク本体部４２Ａと、このマーク本体部４２Ａを囲む囲み線部４２Ｂとを備えて構成されている場合には、この囲み線部４２Ｂを、さらに囲むように、強調用マーク５０が表示されることとなる。
【図面の簡単な説明】
【００３３】
【図１】本発明の実施形態に係るカーナビゲーション装置の機能的構成を示すブロック図である。
【図２】経路案内画面の一例を示す図である。
【図３】自車位置マークの強調用マークの表示態様を示す図である。
【図４】本発明の自車位置強調表示における変形例を示す図である。
【符号の説明】
【００３４】
１  カーナビゲーション装置（ナビゲーション装置）
１０  制御部
１２  位置検出部
１４  表示部
２８  制御プログラム
３２  マーク表示制御部
４０  地図
４２  自車位置マーク
５０  強調用マーク
５２  経路軌跡マーク
５４  進行方向マーク
５５  外形軌道
【図１】
2010019788.tif 000003
【図２】
2010019788.tif 000004
【図３】
2010019788.tif 000005
【図４】
2010019788.tif 000006